(57)【特許請求の範囲】
【請求項１】
入金時に顧客が投入した紙幣を受入れ、出金時に顧客に支払う紙幣を集積する入出金部と、紙幣に対する各種の鑑別を行う鑑別部と、出金に用いる紙幣を収納する紙幣収納庫と、紙幣を搬送する搬送路と、前記紙幣収納庫に収納した紙幣の集積順序とその紙幣の記番号情報とを集積順に記憶する集積順序テーブルを格納する記憶部とを備えた紙幣入出金機において、
前記紙幣収納庫に収納されている現在の収納枚数をカウントする手段と、
出金時に、前記紙幣収納庫から繰出された紙幣が、前記鑑別部で搬送異常と鑑別された出金異常紙幣の場合に、当該出金異常紙幣の次の後続紙幣の前記記番号情報を検出する手段と、
前記検出した記番号情報と前記集積順序テーブルを基に、前記出金異常紙幣を構成する紙幣の枚数である修正枚数をカウントする手段と、
前記紙幣収納庫の現在の収納枚数のカウント数から前記修正枚数を減じて、現在の収納枚数を修正する手段と、
前記修正枚数をカウントした出金異常紙幣を、前記搬送路によって前記入出金部へ搬送して集積する手段と、を備えることを特徴とする紙幣入出金機。
【請求項２】
請求項１に記載の紙幣入出金機において、
リジェクト紙幣を集積するリジェクト庫と、
前記鑑別部と入出金部との間を接続する搬送路に、出金時の紙幣の集積先を前記入出金部および前記リジェクト庫のいずれにするかを判定するタイミングを検出するトリガーセンサと、を設け、
前記トリガーセンサと前記鑑別部との間の搬送路長さを、前記紙幣収納庫から繰出す紙幣の搬送ピッチより長くしたことを特徴とする紙幣入出金機。
【請求項３】
請求項１または請求項２に記載の紙幣入出金機において、
前記記番号情報が、紙幣の記番号とその番号色からなることを特徴とする紙幣入出金機。
【請求項４】
入金時に顧客が投入した紙幣を受入れ、出金時に顧客に支払う紙幣を集積する入出金部と、紙幣に対する各種の鑑別を行う鑑別部と、出金に用いる紙幣を収納する紙幣収納庫と、紙幣を搬送する搬送路と、を備えた紙幣入出金機において、
前記紙幣収納庫に収納した紙幣の集積順序とその紙幣の記番号情報とを集積順に記憶する集積順序テーブルを格納する記憶部を有し、
出金時に、前記紙幣収納庫から繰出された紙幣が、前記鑑別部で搬送異常と鑑別された出金異常紙幣の場合に、当該出金異常紙幣の次の後続紙幣の記番号情報と前記集積順序テーブルに記憶されている記番号情報とを比較することにより、前記出金異常紙幣の枚数を算出することを特徴とする紙幣入出金機。
【請求項５】
請求項４に記載の紙幣入出金機において、
前記枚数を算出した出金異常紙幣を、前記搬送路によって前記入出金部へ搬送して集積することを特徴とする紙幣入出金機。
【発明の詳細な説明】
【技術分野】
【０００１】
本発明は、金融機関等の店舗に設置された現金自動預払機等の自動取引装置に用いられる紙幣入出金機に関する。
【背景技術】
【０００２】
従来の紙幣入出金機は、入金取引においては、投入された紙幣を鑑別部で鑑別して真券と鑑別された正常紙幣は、収納枚数を加算しながら金種別に紙幣収納庫に収納し、出金取引においては、支払金額を構成する金種の紙幣を該当する紙幣収納庫から１枚ずつ繰出し、この紙幣を鑑別部で鑑別して真券と鑑別された正常紙幣は紙幣収納庫の収納枚数を減算しながら入出金部へ搬送して集積し、支払金額を構成する紙幣が全て入出金部に集積されたときに顧客に支払っている。また、出金時に鑑別部で重走、連鎖等の搬送異常と鑑別された紙幣は、正常紙幣であってもリジェクト紙幣としてリジェクト庫へ搬送して集積している（例えば、特許文献１参照。）。
【先行技術文献】
【特許文献】
【０００３】
【特許文献１】特開２０１０−２８７０７３号公報（段落００４３−００５４、００６８−００７２、第４図）
【発明の概要】
【発明が解決しようとする課題】
【０００４】
しかしながら、上述した従来の技術においては、入金時に正常紙幣と鑑別して紙幣収納庫に収納した紙幣であっても、出金時に紙幣収納庫からの繰出動作の異常等によって重走等の搬送異常が生じた出金異常紙幣をリジェクト紙幣としてリジェクト庫へ集積しているため、紙幣収納庫の収納紙幣の資金効率の悪化や、出金処理時間の遅延等を生じさせるという問題がある。
また、搬送異常が生じた出金異常紙幣の枚数を正確にカウントすることができないため、紙幣収納庫内の収納枚数のカウント値と実際の枚数とに差異が生じ、精査時に紙幣収納庫の収納枚数を数え直すことが必要になり、精査時に多くの作業時間を要するという問題がある。
【０００５】
本発明は、上記の問題点を解決するためになされたもので、紙幣収納庫の収納紙幣の資金効率の向上および出金処理時間の短縮を図ると共に、収納枚数のカウント値と実際の枚数とを一致させる手段を提供することを目的とする。
【課題を解決するための手段】
【０００６】
本発明は、上記課題を解決するために、入金時に顧客が投入した紙幣を受入れ、出金時に顧客に支払う紙幣を集積する入出金部と、紙幣に対する各種の鑑別を行う鑑別部と、出金に用いる紙幣を収納する紙幣収納庫と、紙幣を搬送する搬送路と、前記紙幣収納庫に収納した紙幣の集積順序とその紙幣の記番号情報とを集積順に記憶する集積順序テーブルを格納する記憶部とを備えた紙幣入出金機において、前記紙幣収納庫に収納されている現在の収納枚数をカウントする手段と、出金時に、前記紙幣収納庫から繰出された紙幣が、前記鑑別部で搬送異常と鑑別された出金異常紙幣の場合に、当該出金異常紙幣の次の後続紙幣の前記記番号情報を検出する手段と、前記検出した記番号情報と前記集積順序テーブルを基に、前記出金異常紙幣を構成する紙幣の枚数である修正枚数をカウントする手段と、前記紙幣収納庫の現在の収納枚数のカウント数から前記修正枚数を減じて、現在の収納枚数を修正する手段と、前記修正枚数をカウントした出金異常紙幣を、前記搬送路によって前記入出金部へ搬送して集積する手段と、を備えることを特徴とする。
【発明の効果】
【０００７】
これにより、本発明は、修正枚数をカウントした出金異常紙幣を入出金口に集積することができ、出金時の紙幣収納庫からの繰出紙幣の枚数を削減して紙幣収納庫の資金効率の向上および出金取引時間の短縮を図ることができると共に、紙幣収納庫の収納枚数のカウント値と実際の枚数とを確実に一致させることができ、精査時の作業時間を大幅に短縮することができるという効果が得られる。
【図面の簡単な説明】
【０００８】
【図１】実施例１の紙幣入出金機を示すブロック図
【図２】実施例１の紙幣入出金機の構成を示す説明図
【図３】実施例１の集積順序テーブルの構成例を示す説明図
【図４】実施例１の出金処理を示すフローチャート
【図５】実施例１の紙幣入出金機を示すブロック図
【図６】実施例１の紙幣入出金機の構成を示す説明図
【図７】実施例２の出金処理を示すフローチャート
【発明を実施するための形態】
【０００９】
以下に、図面を参照して本発明による紙幣入出金機の実施例について説明する。
【実施例１】
【００１０】
図１、図２において、１は紙幣入出金機であり、顧客が投入した紙幣を受入れ、これを鑑別およびカウントして収納し、顧客に支払う紙幣をカウントして顧客に支払う機能等を有しており、以下に示す構成を備えている。
２は紙幣入出金機１の制御部であり、現金自動預払機等の上位装置からの指令を基に、紙幣入出金機１内の各部を制御して、紙幣の取込処理や収納処理、出金処理等の紙幣処理等を実行する機能を有している。
【００１１】
３は紙幣入出金機１の記憶部であり、制御部２が実行するプログラムやそれに用いる各種のデータおよび制御部２による処理結果等が格納される。
５は入出金部であり、紙幣入出金機１の前面側に設けられ、顧客からの紙幣の投入時および顧客への紙幣の引渡し時等に開閉するシャッタが設けられた入出金口５ａ、入出金口５ａから投入された紙幣を１枚毎に分離して繰出すと共に顧客に支払う出金紙幣等を集積する分離集積機構等を備えている。
【００１２】
６は鑑別部であり、搬送された紙幣に対する各種の鑑別、つまり紙幣の真偽や正損、金種等を識別する機能、および重走、連鎖等の搬送異常を検出する機能、ＯＣＲ（Ｏｐｔｉｃａｌ  Ｃｈａｒａｃｔｅｒ  Ｒｅｃｏｇｎｉｔｉｏｎ）等の文字認識機能等により、搬送された紙幣の記番号および番号色を検出する機能等を有している。
７は一時保留部であり、入金処理において入出金部５に投入された紙幣で、鑑別部６により真券と鑑別され、取込処理可能と判定された正常紙幣を集積して一時保留する集積部であって、紙幣を１枚毎に分離して繰出すと共に搬送された紙幣を集積する分離集積機構を有している。
【００１３】
８は紙幣収納庫であり、出金に用いる正常紙幣を設定された金種に従って金種別に収納する収納庫であって、紙幣を１枚毎に分離して繰出すと共に搬送された紙幣を集積する分離集積機構を有している。
本実施例の紙幣収納庫８は、紙幣収納庫８ａ〜８ｄの４つ設けられ、それぞれ搬送された紙幣を上部から放出して集積し、集積された最上位の紙幣から順に繰出す分離集積機構が設けられている。
【００１４】
９は取忘れ紙幣収納庫であり、入金取引や出金取引時に顧客が取忘れて入出金部５に放置された紙幣を収納する収納庫であって、搬送された紙幣を集積する集積機構を有している。
１０はリジェクト庫であり、入金取引時における取込紙幣の収納時に、鑑別部６で重送等の搬送異常と鑑別された紙幣や出金には適さない損券と鑑別された収納時のリジェクト紙幣等を集積する収納庫であって、搬送された紙幣を集積する集積機構を有している。
【００１５】
１１は補充回収カセットであり、紙幣入出金機１に着脱可能に装着され、各紙幣収納庫８へ補充する紙幣や、紙幣収納庫８に収納しきれない紙幣、各紙幣収納庫８から回収された紙幣を収納するカセットであって、紙幣を１枚毎に分離して繰出すと共に搬送された紙幣を集積する分離集積機構を備えている。
１２は搬送部であり、ベルトまたはローラで紙幣を挟持して搬送する搬送路１３を駆動する機能、搬送路１３の各分岐部に設けられた、紙幣の搬送方向を切替える切替ブレード等の切替機構１４を駆動する機能等を有している。
【００１６】
１６はトリガーセンサであり、搬送路１３を挟んで発光部と受光部とを対向配置した光学式のセンサであって、発光部からの光を紙幣が遮ったことを受光部で検出して紙幣を検出する機能を有しており、出金時に、鑑別部６で鑑別された紙幣の集積先を、入出金部５およびリジェクト庫１０のいずれにするかを判定するタイミングを検出する。
【００１７】
本実施例の切替機構１４ａ（図２参照）は、トリガーセンサ１６による紙幣の検出時の判定に基づいて、紙幣の搬送方向を入出金部５またはリジェクト庫１０の方向とするように切替えられる。
また、トリガーセンサ１６は、鑑別部６と入出金部５との間を接続する搬送路１３に設けられ、鑑別部６とトリガーセンサ１６との間の搬送経路の長さ（搬送路長さという。）が、出金時に紙幣収納庫８から繰出す紙幣の搬送ピッチより長くなるように設置されている。
【００１８】
本実施例の紙幣入出金機１の記憶部３には、上位装置からの指令によって、出金取引における紙幣の出金処理、入金取引における紙幣の入金処理等の紙幣処理を実行する機能を有する紙幣処理プログラムに、出金処理の場合において、鑑別部６が搬送された紙幣を重送、連鎖等の搬送異常と鑑別したときに、その出金異常紙幣の枚数を修正枚数としてカウントする機能を有する異常紙幣枚数カウントプログラムが追加された業務実行プログラムが予め格納されており、制御部２が実行する業務実行プログラムのステップにより本実施例の紙幣入出金機１の各機能手段が形成される。
【００１９】
また、記憶部３には、各紙幣収納庫８に対応させて収納すべき金種を設定した収納金種設定情報が予め設定されて格納される他、紙幣収納庫８に収納されている紙幣の収納枚数を紙幣収納庫８別にカウントするための収納枚数カウントエリア、各紙幣収納庫８に集積した紙幣の記番号情報を記憶する紙幣収納庫８別の集積順序テーブルのテーブル記憶エリア、出金時に重送等の搬送異常が生じた出金異常紙幣の枚数を修正枚数としてカウントするための修正枚数カウントエリア、出金時に入出金口１３ａに集積した紙幣の支払集積枚数を金種別にカウントするための支払集積枚数カウントエリア等が予め確保されている。
【００２０】
本実施例の集積順序テーブルには、図３に示すように、紙幣の集積順序と当該紙幣の記番号および番号色からなる記番号情報とが集積順に記憶される。なお、記番号とは、個々の紙幣を識別するための通し番号のことをいう。例えば、日本銀行券の場合は、紙幣に印刷された１または２文字のアルファベットと６桁のアラビア数字と末尾の１文字のアルファベットからなる個々の紙幣を識別するための通し番号のことをいい、同一の印刷模様の紙幣において前記組合せに係る通し番号が尽きたときは、通し番号の印刷色（番号色という。）が変更される。また、韓国銀行券の場合は、３桁のローマ字と７桁のアラビア数字から構成されており、ユーロ紙幣の場合は、１または複数のアルファベットおよびアラビア数字から構成されている。
【００２１】
以下に、本実施例の紙幣入出金機１の各紙幣収納庫８へ補充回収カセット１１から紙幣を補充する場合の補充処理の処理動作について、日本銀行券の場合を例に説明する。
補充回収カセット１１から紙幣を補充する場合は、紙幣入出金機１に補充回収カセット１１が装着されると、制御部２は、補充回収カセット１１から紙幣を１枚ずつ繰出して搬送路１３により鑑別部６へ搬送し、鑑別部６で真券の正券と鑑別された正常紙幣は、その金種を基に記憶部３の収納金種設定情報を参照して当該金種が設定された紙幣収納庫８を特定し、搬送路１３により特定した紙幣収納庫８へ当該紙幣を搬送して収納し、記憶部３の収納枚数カウントエリアによって収納した紙幣の収納枚数を紙幣収納庫８別にカウントする。
【００２２】
このとき、制御部２は、鑑別部６によって搬送された紙幣の記番号情報を検出し、記憶部３の当該紙幣収納庫８の集積順序テーブルの集積順序をインクリメント（「１」を加算することをいう。）しながら集積順序に対応させて記番号情報を記憶する。
なお、鑑別部６で重送等の搬送異常と鑑別された紙幣は、搬送路１３により補充回収カセット１１の下部の収納部へ搬送して集積される。
このようにして、本実施例の紙幣入出金機１による補充回収カセット１１からの紙幣の補充処理の処理動作が行われる。
【００２３】
本実施例の紙幣入出金機１によって入金取引における入金処理を行う場合は、上位装置から入金指令を受けた制御部２は、入出金部５のシャッタを開放し、入出金口５ａに紙幣が投入されると、シャッタを閉鎖して入出金口５ａに投入された紙幣を１枚ずつ繰出して搬送路１３により鑑別部６へ搬送し、鑑別部６で真券と鑑別された紙幣は、搬送路１３により一時保留部７へ搬送して集積し、鑑別部６で金種不明等によって入金時のリジェクト紙幣と鑑別された入金リジェクト紙幣は、搬送路１３により入出金部５へ搬送して顧客に返却する。
【００２４】
そして、制御部２は、上位装置で入金金額が確定されると、一時保留部７に集積されている確定された紙幣を繰出し、搬送路１３により鑑別部６へ搬送し、鑑別部６で真券の正券と鑑別された正常紙幣は、その金種を基に記憶部３の収納金種設定情報を参照して当該金種が設定された紙幣収納庫８を特定し、搬送路１３により特定した紙幣収納庫８へ当該紙幣を搬送して収納し、記憶部３の収納枚数カウントエリアによって収納した紙幣の収納枚数を紙幣収納庫８別にカウントする。
【００２５】
このとき、制御部２は、鑑別部６によって搬送された紙幣の記番号および番号色からなる記番号情報を検出し、当該紙幣収納庫８の集積順序テーブルの集積順序をインクリメントしながら集積順序に対応させて記番号情報を記憶する。
【００２６】
なお、紙幣収納庫８への紙幣の収納時に鑑別部６で重送等の搬送異常と鑑別された紙幣、および過度の汚れ、過度の損傷等のために金種判定は可能な真券ではあるが出金には用いることができない損券等と鑑別された紙幣は、搬送路１３によりリジェクト庫１０へ搬送して集積される。
このようにして、本実施例の紙幣入出金機１による入金処理の処理動作が行われる。
【００２７】
上記のようにして、記憶部３のテーブル記憶エリアの各紙幣収納庫８の集積順序テーブルに、収納された紙幣の集積順序とその紙幣の記番号情報が集積順に記憶される。
なお、本実施例における各紙幣収納庫８の収納枚数は、集積順序テーブルの集積順序の最大数、つまり最上位の紙幣の集積順序と一致している。
【００２８】
以下に、図４にＳで示すステップに従って、各紙幣収納庫８に収納された紙幣を顧客に支払う出金処理の処理動作について説明する。
Ｓ１：紙幣入出金機１の制御部２は、上位装置から出金金額を添付した出金指令を受けると、支払金額を構成する紙幣の金種別の支払枚数を算出し、この金種別の支払枚数を記憶部３に保存する。
【００２９】
Ｓ２：制御部２は、記憶部３に保存した金種別の支払枚数から一の金種およびその支払枚数を読出してステップＳ３へ移行する。
Ｓ３：制御部２は、読出した金種の紙幣収納庫８を記憶部３の収納金種設定情報を参照して特定し、当該紙幣収納庫８の集積順序テーブルから先頭の集積順序（本実施例では集積順序の最大数、図４の例では「１００」）を読取り、これを現在の集積順序として記憶部３に保存する。
【００３０】
Ｓ４：制御部２は、記憶部３の修正枚数カウントエリアの修正枚数を「０」として、修正枚数を初期化する。
Ｓ５：修正枚数を初期化した制御部２は、当該紙幣収納庫８から当該金種の支払枚数の紙幣を所定の搬送ピッチで繰出して搬送路１３により鑑別部６へ搬送し、鑑別部６で搬送された紙幣の金種や重送等の搬送異常を鑑別する。
そして、制御部２は、鑑別結果が当該金種の真券であって、正常紙幣の場合はステップＳ１０へ移行する。鑑別結果が搬送異常であって、出金異常紙幣の場合はステップＳ６へ移行する。
【００３１】
Ｓ６：搬送された紙幣が出金異常紙幣と認識した制御部２は、当該出金異常紙幣をそのまま鑑別部６から搬出し、当該出金異常紙幣が鑑別部６とトリガーセンサ１６との間の搬送路１３上に存在するときに、鑑別部６に搬送された次の後続紙幣の鑑別を行うと共に、その後続紙幣の記番号情報を検出する。
Ｓ７：後続紙幣の記番号情報を検出した制御部２は、記憶部３に保存した現在の集積順序の記番号情報と、検出した後続紙幣の記番号情報とを比較し、記番号情報が一致している場合はステップＳ１０へ移行する。記番号情報が不一致の場合はステップＳ８へ移行する。
【００３２】
Ｓ８：記番号情報が不一致と判定した制御部２は、記憶部３に保存した集積順序をデクリメント（「１」を減算することをいう。）して現在の集積順序を更新しステップＳ９へ移行する。
Ｓ９：次いで制御部２は、記憶部３の修正枚数カウントエリアの修正枚数をインクリメントして修正枚数をカウントし、ステップＳ７へ戻って、ステップＳ６で検出した後続紙幣の記番号情報とステップＳ８で更新した現在の集積順序の記番号情報とが一致するまで、ステップＳ７〜Ｓ９の処理動作を繰返し、前記した２つの記番号情報が一致したときにステップＳ１０へ移行する。
【００３３】
例えば、ステップＳ６で、最初に繰出された紙幣（図３では、集積順序「１００」の紙幣）が重送と鑑別された２枚で構成された出金異常紙幣であった場合は、その２枚の出金異常紙幣はそのまま搬出され、次の後続紙幣（集積順序９８の３枚目の紙幣）の記番号情報を検出する。
【００３４】
そして、ステップＳ７で、３枚目の紙幣の記番号情報（記番号Ａ０００２０１Ｔ、番号色青色）と記憶部３に保存した現在の集積順序（本段階では、集積順序「１００」）の記番号情報とを比較し、記番号情報が不一致であるので、ステップＳ８で現在の集積順序を「９９（＝１００−１）」とし、ステップＳ９で修正枚数を「１（＝０＋１）」としてステップＳ７で再び記番号情報を比較すると、３枚目の紙幣の記番号情報とは不一致であるので、ステップＳ８、Ｓ９で現在の集積順序を「９８（＝９９−１）」、修正枚数を「２（＝１＋１）」とし、再び記番号情報を比較すると一致しているのでステップＳ１０へ移行する。このとき修正枚数は「２」となっているので、重送と鑑別された２枚の紙幣の枚数を正確にカウントすることができる。
【００３５】
このようにして、検出した次の後続紙幣の記番号情報を基に、集積順序テーブルの集積順序を順に繰下げながら検索して出金異常紙幣を構成する紙幣の枚数である修正枚数をカウントする。
Ｓ１０：上記ステップＳ５において正常紙幣と判定した、またはステップＳ７において記番号情報の一致を判定した制御部２は、記憶部３の収納枚数カウントエリアの当該紙幣収納庫８の収納枚数から「１」を減じてデクリメントし、紙幣の繰出しによって減じた現在の収納枚数を更新してステップＳ１１へ移行する。
【００３６】
Ｓ１１：次いで制御部２は、記憶部３に保存した集積順序から「１」を減じてデクリメントし、現在の集積順序を更新してステップＳ１２へ移行する。
Ｓ１２：収納枚数および集積順序を更新した制御部２は、更新した現在の収納枚数から修正枚数カウントエリアの修正枚数を減じて現在の収納枚数を修正しステップＳ１３へ移行する。
【００３７】
この場合に、ステップＳ５から移行したときは、修正枚数が「０」（ステップＳ４参照）であるので収納枚数はステップＳ１０で更新した現在の収納枚数のまま、つまり図３では９９枚（＝１００−１）となり、ステップＳ７から移行したときは、上記の例では修正枚数が「２」であるので現在の収納枚数はステップＳ１０で更新した収納枚数（９９枚）から修正枚数（２枚）を減じた枚数、つまりステップＳ６で鑑別した後続紙幣を含む枚数（９７枚）に修正される。これにより、当該紙幣収納庫８に収納されている実際の収納枚数と収納枚数カウントエリアでカウントした収納枚数のカウント値とを一致させることができる。
【００３８】
Ｓ１３：現在の収納枚数をカウントした制御部２は、鑑別部６での鑑別結果を基に、鑑別後の紙幣を、鑑別部６とトリガーセンサ１６との間の搬送路１３によって搬送し、トリガーセンサ１６が当該紙幣を検出したときに集積先を判定し、切替機構１４ａによって搬送方向を切替えて入出金口５ａまたはリジェクト庫１０へ搬送して集積し、紙幣の集積後に集積順序テーブルの現在の集積順序より前の集積順序およびそれに対応する記番号情報を消去してステップＳ１４へ移行する。
【００３９】
本ステップにおける紙幣の集積は、以下のように行われる。
すなわち、制御部２は、ステップＳ５で正常紙幣と鑑別された紙幣は、トリガーセンサ１６が当該紙幣を検出したときに、集積先を入出金口５ａと判定し、切替機構１４ａによって搬送路１３の搬送方向を入出金部５の方向へ切替え、当該紙幣を入出金口５ａへ搬送して集積し、記憶部３の支払集積枚数カウントエリアの当該金種の支払集積枚数に「１」を加えて支払集積枚数をカウントする。
【００４０】
また、ステップＳ５で重送等の出金異常紙幣と鑑別され、ステップＳ６で鑑別部６から搬出された出金異常紙幣は、本来、支払可能な正常紙幣であり、その枚数が修正枚数としてカウントされているので、トリガーセンサ１６が当該出金異常紙幣を検出したときに、集積先を入出金口５ａと判定し、切替機構１４ａによって搬送路１３の搬送方向を入出金部５の方向へ切替え、当該出金異常紙幣を入出金口５ａへ搬送して集積し、当該金種の支払集積枚数に修正枚数を加えて支払集積枚数をカウントする。
更に、ステップＳ６で鑑別した次の後続紙幣は、前記正常紙幣の場合と同様にして、入出金口５ａへ搬送して集積し、当該金種の支払集積枚数に「１」を加えて支払集積枚数をカウントする。
【００４１】
なお、出金異常紙幣の枚数としてカウントした修正枚数が２枚以上であって、その枚数を入出金口５ａへ集積すると、当該金種の支払枚数になる場合は、当該出金異常紙幣を入出金口５ａへ集積し、当該金種の支払集積枚数に修正枚数を加えて支払集積枚数をカウントすると共に、ステップＳ６で鑑別した次の後続紙幣（繰出済みの後続紙幣が存在する場合はその紙幣を含む。）は、搬送路１３を逆転させて元の紙幣収納庫８へ収納し、現在の集積順序をステップＳ６で鑑別した次の後続紙幣の集積順序とし、収納枚数に「１」を加えて収納枚数を変更する。
【００４２】
また、出金異常紙幣の枚数としてカウントした修正枚数が２枚以上であって、その枚数を入出金口５ａへ集積すると、当該金種の支払枚数を超えてしまう場合は、トリガーセンサ１６が当該出金異常紙幣を検出したときに、集積先をリジェクト庫１０と判定し、切替機構１４ａによって搬送路１３の搬送方向をリジェクト庫１０の方向へ切替え、当該出金異常紙幣をリジェクト庫１０へ搬送して集積し、ステップＳ６で鑑別した次の後続紙幣を入出金口５ａへ集積し、当該金種の支払集積枚数に「１」を加えて支払集積枚数をカウントする。この場合には、現在の集積順序および収納枚数はそのまま維持される。
【００４３】
なお、当該出金異常紙幣の集積先をリジェクト庫１０とせずに、搬送路１３を逆転させて元の紙幣収納庫８へ一旦収納し、不足分を再分離して支払枚数の紙幣を入出金口５ａへ集積するようにしてもよい。このようにすれば、リジェクト庫１０に集積する紙幣を更に削減することができる。また、前記２つの処理動作を切替えるようにすることも可能である。
【００４４】
Ｓ１４：鑑別後の紙幣を入出金口５ａ等へ集積した制御部２は、記憶部３の支払集積枚数カウントエリアの当該金種の支払集積枚数が、読出した当該金種の支払枚数（ステップＳ２参照）未満の場合は、ステップＳ３へ戻って当該金種の繰出動作を継続する。当該金種の支払集積枚数が、読出した当該金種の支払枚数に達した場合はステップＳ１５へ移行する。
【００４５】
Ｓ１５：一の金種の支払枚数を入出金口５ａへ集積した制御部２は、入出金口５ａへ集積した集積金額を算出し、集積金額が支払金額未満の場合は、ステップＳ２へ戻って残った他の金種の繰出動作を上記と同様にして実行する。集積金額が支払金額に達した場合は、入出金口５ａのシャッタを開放して、集積した紙幣を顧客に支払い、紙幣の取出を確認した後にシャッタを閉鎖して今回の出金処理を終了させる。
このようにして、本実施例の紙幣入出金機１による出金処理の処理動作が行われる。
【００４６】
なお、上記ステップＳ６において、繰出枚数が当該金種の支払枚数に達したことによって次の後続紙幣が繰出されていない場合は、制御部２は、当該紙幣収納庫８から最上位の紙幣を１枚繰出し、その後続紙幣の記番号情報を基に上記した処理動作を実行し、当該出金異常紙幣を入出金口５ａへ集積し、当該金種の支払集積枚数に修正枚数を加えて支払集積枚数をカウントすると共に、新たに繰出した後続紙幣を、搬送路１３を逆転させて元の紙幣収納庫８へ収納し、現在の集積順序をステップＳ６で鑑別した新たに繰出した後続紙幣の集積順序とし、収納枚数に「１」を加えて収納枚数を変更する。
【００４７】
上記のように、本実施例では、出金時に重走、連鎖等の搬送異常が生じた出金異常紙幣の枚数をカウントするので、出金異常紙幣をリジェクト庫１０に集積することなく入出金口５に集積することができ、出金時に紙幣収納庫８から繰出す紙幣の枚数を削減して、紙幣収納庫８の資金効率を向上させることができると共に、出金取引時間を短縮することができる。
また、紙幣収納庫８の収納枚数のカウント値と実際の枚数とを確実に一致させることができ、精査時に紙幣収納庫８の収納枚数を数え直す必要がなくなり、精査時の作業時間を大幅に短縮することができる。
【００４８】
以上説明したように、本実施例では、紙幣入出金機の記憶部に紙幣収納庫に収納した紙幣の集積順序とその紙幣の記番号情報とを集積順に記憶する集積順序テーブルを格納しておき、出金時に、紙幣収納庫から繰出された紙幣が、鑑別部で搬送異常と鑑別された出金異常紙幣の場合に、鑑別部によって当該出金異常紙幣の次の後続紙幣の記番号情報を検出し、その検出した記番号情報と集積順序テーブルを基に、出金異常紙幣を構成する紙幣の枚数である修正枚数をカウントし、紙幣収納庫の現在の収納枚数のカウント数から修正枚数を減じて、現在の収納枚数を修正し、この修正枚数をカウントした出金異常紙幣を、入出金部へ搬送して集積するので、修正枚数をカウントした出金異常紙幣を入出金口に集積することができ、出金時の紙幣収納庫からの繰出紙幣の枚数を削減して、紙幣収納庫の資金効率を向上させることができると共に出金取引時間を短縮することができる他、紙幣収納庫の収納枚数のカウント値と実際の枚数とを確実に一致させることができ、精査時に紙幣収納庫の収納枚数を数え直す必要がなくなり、精査時の作業時間を大幅に短縮することができる。
【実施例２】
【００４９】
以下に、図５ないし図７を用いて本実施例の紙幣入出金機について説明する。なお、上記実施例１と同様の部分は、同一の符号を付してその説明を省略する。
本実施例の紙幣入出金機１は、図５、図６に示すように、簡易な構成の紙幣入出金機であって、実施例１の一時保留部７、補充回収カセット１１および切替機構１４ａは省略されている。
【００５０】
２１は紙幣収納庫であり、上記実施例１の紙幣収納庫８と同様の機能を有する２１ａ〜２１ｄの４つの収納庫であるが、それぞれに、図６に示すように、接触または非接触で紙幣入出金機１の制御部２へ格納データを送信する機能を有する情報格納部２２が設けられており、紙幣入出金機１に着脱可能に装着されている。
２４はトリガーセンサであり、上記実施例１のトリガーセンサ１６と同様の紙幣検出機能を有するセンサであって、出金時等に、鑑別部６で鑑別された紙幣の集積先を、入出金部５およびリジェクト庫１０のいずれにするかを判定するタイミングを検出する。
【００５１】
なお、本実施例のトリガーセンサ２４は、搬送経路の簡素化のために、実施例１の切替機構１４ａを設けることができない装置において、入出金口５ａまたはリジェクト庫１０へ選択的に紙幣を集積するために設けられたセンサであり、鑑別部６と入出金部５との間を接続する搬送路１３の鑑別部６からの搬送路長さが、紙幣収納庫２１から繰出される紙幣の搬送ピッチより長くなる位置で、入出金部５への搬送方向の上流側の入出金部５の直近に設置されている。
【００５２】
本実施例の紙幣入出金機１の記憶部３には、上記実施例１と同様の紙幣処理プログラムおよび異常紙幣枚数カウントプログラムに、紙幣収納庫２１が装着されたときに、その情報格納部２２の格納データを読出して記憶部３に格納する機能を有する収納庫情報格納プログラムが追加された業務実行プログラムが予め格納されており、制御部２が実行する業務実行プログラムのステップにより本実施例の紙幣入出金機１の各機能手段が形成される。
【００５３】
また、記憶部３には、上記実施例１と同様の収納金種設定情報が予め設定されて格納される他、上記実施例１と同様の収納枚数カウントエリア、修正枚数カウントエリア、支払集積枚数カウントエリア等が予め確保されている。
また、記憶部３には、上記実施例１と同様の、紙幣収納庫２１別の集積順序テーブル（図３参照）のテーブル記憶エリアが確保されている。
【００５４】
本実施例の各紙幣収納庫２１の情報格納部２２には、上記実施例１と同様の、紙幣の集積順序と当該紙幣の記番号および番号色からなる記番号情報とが集積順に記憶された集積順序テーブルが格納されている。
以下に、本実施例の紙幣入出金機１の紙幣収納庫２１へ紙幣を補充する場合の動作について説明する。
【００５５】
本実施例の紙幣収納庫２１へ紙幣を補充する場合は、空の紙幣入出金機１を準備し、その紙幣収納庫２１を図示しない現金処理機に装着し、当該紙幣収納庫２１に設定された金種の紙幣を現金処理機から供給して集積する。
このとき、現金処理機は、当該紙幣収納庫２１に集積した紙幣の集積順序と記番号情報からなる集積順序テーブルを生成し、その集積順序テーブルを当該紙幣収納庫２１の情報格納部２２に格納する。
【００５６】
そして、当該紙幣収納庫２１が紙幣入出金機１に装着されると、制御部２は当該紙幣収納庫２１の情報格納部２２から集積順序テーブルを読取り、これを当該紙幣収納庫２１の集積順序テーブルとして記憶部３のテーブル記憶エリアに記憶する。
【００５７】
本実施例の紙幣入出金機１によって入金取引における入金処理を行う場合は、上位装置から入金指令を受けた制御部２は、入出金部５のシャッタを開放し、入出金口５ａに紙幣が投入されると、シャッタを閉鎖して入出金口５ａに投入された紙幣を１枚ずつ繰出して搬送路１３により鑑別部６へ搬送し、鑑別部６で真券の正券と鑑別された正常紙幣は、その金種を基に記憶部３の収納金種設定情報を参照して当該金種が設定された紙幣収納庫２１を特定し、搬送路１３により特定した紙幣収納庫２１へ当該紙幣を搬送して収納し、記憶部３の収納枚数カウントエリアによって収納した紙幣の収納枚数を紙幣収納庫２１別にカウントする。
【００５８】
このとき、制御部２は、鑑別部６によって搬送された紙幣の記番号および番号色からなる記番号情報を検出し、当該紙幣収納庫２１の集積順序テーブルの集積順序をインクリメントしながら集積順序に対応させて記番号情報を記憶する。
【００５９】
なお、投入された紙幣の鑑別時に、鑑別部６で金種不明等によって入金時のリジェクト紙幣と鑑別された入金リジェクト紙幣、および鑑別部６で重送等の搬送異常と鑑別された紙幣は、当該紙幣を搬送路１３により鑑別部６から入出金部５の方向へ搬送し、当該紙幣をトリガーセンサ２４が検出したときに、制御部２が集積先を入出金部５と判定し、搬送方向をそのままにして入出金口５ａへ搬送して集積し顧客に返却する。
【００６０】
また、過度の汚れ、過度の損傷等のために金種判定は可能な真券ではあるが出金には用いることができない損券等と鑑別された紙幣は、当該紙幣を搬送路１３により鑑別部６から入出金部５の方向へ一旦搬送し、当該紙幣をトリガーセンサ２４が検出したときに、制御部２が集積先をリジェクト庫１０と判定し、搬送路１３を一旦停止させた後に、搬送路１３を逆転させてリジェクト庫１０へ搬送して集積する。
このようにして、本実施例の紙幣入出金機１による入金処理の処理動作が行われる。
【００６１】
上記のようにして、記憶部３のテーブル記憶エリアの各紙幣収納庫２１の集積順序テーブルに、収納された紙幣の集積順序とその紙幣の記番号情報が順に記憶される。
以下に、図７にＳＡで示すステップに従って、各紙幣収納庫２１に収納された紙幣を顧客に支払う出金処理の処理動作について説明する。
本実施例のステップＳＡ１〜ＳＡ１２の処理動作は、上記実施例１のステップＳ１〜Ｓ１２の処理動作と同様であるので、その説明を省略する。
この場合に、ステップＳＡ６において、当該出金異常紙幣は鑑別部６とトリガーセンサ２４との間の搬送路１３へ搬出される。
【００６２】
ＳＡ１３：現在の収納枚数をカウントした制御部２は、鑑別部６での鑑別結果を基に、鑑別後の紙幣を、鑑別部６とトリガーセンサ２４との間の搬送路１３によって搬送し、トリガーセンサ２４が当該紙幣を検出したときに集積先を判定して入出金口５ａまたはリジェクト庫１０へ搬送して集積し、紙幣の集積後に集積順序テーブルの現在の集積順序より前の集積順序およびそれに対応する記番号情報を消去してステップＳＡ１４へ移行する。
【００６３】
本ステップにおける紙幣の集積は、以下のように行われる。
すなわち、制御部２は、ステップＳＡ５で正常紙幣と鑑別された紙幣は、トリガーセンサ２４が当該紙幣を検出したときに、集積先を入出金口５ａと判定し、当該紙幣をそのまま入出金部５の方向へ搬送して入出金口５ａに集積し、記憶部３の支払集積枚数カウントエリアの当該金種の支払集積枚数に「１」を加えて支払集積枚数をカウントする。
【００６４】
また、ステップＳＡ５で重送等の出金異常紙幣と鑑別され、ステップＳＡ６で鑑別部６から搬出された出金異常紙幣は、本来、支払可能な正常紙幣であり、その枚数が修正枚数としてカウントされているので、トリガーセンサ２４が当該出金異常紙幣を検出したときに、集積先を入出金口５ａと判定し、当該紙幣をそのまま入出金部５の方向へ搬送して入出金口５ａに集積し、当該金種の支払集積枚数に修正枚数を加えて支払集積枚数をカウントする。
更に、ステップＳＡ６で鑑別した次の後続紙幣は、前記正常紙幣の場合と同様にして、入出金口５ａへ搬送して集積し、当該金種の支払集積枚数に「１」を加えて支払集積枚数をカウントする。
【００６５】
なお、出金異常紙幣の枚数としてカウントした修正枚数が２枚以上であって、その枚数を入出金口５ａへ集積すると、当該金種の支払枚数になる場合は、当該出金異常紙幣を入出金口５ａへ集積し、当該金種の支払集積枚数に修正枚数を加えて支払集積枚数をカウントすると共に、ステップＳＡ６で鑑別した次の後続紙幣（繰出済みの後続紙幣が存在する場合はその紙幣を含む。）は、搬送路１３を逆転させて元の紙幣収納庫２１へ収納し、現在の集積順序をステップＳＡ６で鑑別した次の後続紙幣の集積順序とし、収納枚数に「１」を加えて収納枚数を変更する。
【００６６】
また、出金異常紙幣の枚数としてカウントした修正枚数が２枚以上であって、その枚数を入出金口５ａへ集積すると、当該金種の支払枚数を超えてしまう場合は、トリガーセンサ２４が当該出金異常紙幣を検出したときに、集積先をリジェクト庫１０と判定し、搬送路１３を一旦停止させた後に、搬送路１３を逆転させてリジェクト庫１０へ搬送して集積し、ステップＳＡ６で鑑別した次の後続紙幣（繰出済みの後続紙幣が存在する場合はその紙幣を含む。）は、元の紙幣収納庫２１へ収納し、現在の集積順序をステップＳＡ６で鑑別した次の後続紙幣の集積順序とし、収納枚数に「１」を加えて収納枚数を変更する。なお、この場合にはステップＳＡ１４においてステップＳＡ３へ戻り、改めて繰出動作が再開される。
【００６７】
その後のステップＳＡ１４、ＳＡ１５の処理動作は、上記実施例１のステップＳ１４、Ｓ１５の処理動作と同様であるので、その説明を省略する。
このようにして、本実施例の紙幣入出金機１による出金処理の処理動作が行われる。
以上説明したように、本実施例では、トリガーセンサを入出金部の上流側の直近に設け、トリガーセンサによる紙幣の検出時に、集積先を判定するので、補充回収カセット等を持たない簡易な構成であっても、上記実施例１と同様の効果を得ることができる。
【００６８】
なお、本実施例においては、トリガーセンサ２４が当該出金異常紙幣を検出したときに、集積先を判定するとして説明したが、集積先をリジェクト庫１０と判定する紙幣を一旦入出金口５ａに集積し、入出金口５ａに集積した紙幣を全て紙幣収納庫２１に再度収納した後に、改めて出金処理を実行するようにしてもよい。
また、上記各実施例においては、記番号情報は、記番号と番号色から構成するとして説明したが、記番号情報は記番号のみで構成してもよい。例えば、日本銀行券の場合、記番号は１２９億６千万通りの組合せがあり、収納枚数を構成する紙幣の中に同じ記番号の紙幣が連続して出現することは極めて稀だからである。
【００６９】
更に、上記各実施例においては、紙幣入出金機を現金自動預払機に適用した場合を例に説明したが、銀行の窓口に設置される窓口端末（テラーマシン）に適用してもよい。
更に、上記各実施例においては、紙幣を例に説明したが、紙幣の記番号のように、媒体を個々に識別する情報を有する媒体であれば、その取扱装置に適用することもできる。
【符号の説明】
【００７０】
１    紙幣入出金機
２    制御部
３    記憶部
５    入出金部
５ａ  入出金口
６    鑑別部
７    一時保留部
８、８ａ〜８ｄ、２１、２１ａ〜２１ｄ  紙幣収納庫
９    取忘れ紙幣収納庫
１０  リジェクト庫
１１  補充回収カセット
１２  搬送部
１３  搬送路
１４、１４ａ  切替機構
１６、２４  トリガーセンサ
２２  情報格納部
【図１】
0005633456.tif 000002
【図２】
0005633456.tif 000003
【図３】
0005633456.tif 000004
【図４】
0005633456.tif 000005
【図５】
0005633456.tif 000006
【図６】
0005633456.tif 000007
【図７】
0005633456.tif 000008